(57)【要約】【課題】  調理物の特定の方向を選択的に加熱調理することのできる蒸気調理装置を提供する。【解決手段】  内部に調理室が設けられた胴体と、蒸気を発生させる蒸気発生装置と、蒸気発生装置において発生された蒸気をガイドして調理室に供給するが、蒸気を調理室に分散供給できるようにその先端が調理室の多数の箇所に配置される多数の蒸気ガイド管と、多数の蒸気ガイド管を選択的に開閉可能に多数の蒸気ガイド管に各々設けられた多数の蒸気弁と、を含む 蒸気調理装置。本発明によれば、蒸気弁により多数の蒸気ガイド管を選択的に開閉することにより、調理物の特定の方向を選択的に加熱調理できる作用効果がある。【選択図】  図１
2005083739.tif 000002
【特許請求の範囲】
【請求項１】
内部に調理室が設けられた胴体と、
過熱蒸気を発生させる蒸気発生装置と、
前記蒸気発生装置において発生された過熱蒸気をガイドして前記調理室に供給するが、過熱蒸気を前記調理室に分散供給できるようにその先端が前記調理室の多数の箇所に配置される多数の蒸気ガイド管と、を含むことを特徴とする蒸気調理装置。
【請求項２】
前記多数の蒸気ガイド管の中途には、前記多数の蒸気ガイド管を各々選択的に開閉して前記調理室における過熱蒸気の吹付け位置を変える多数の蒸気弁を含むことを特徴とする請求項１に記載の蒸気調理装置。
【請求項３】
前記蒸気ガイド管は、
その先端が前記調理室の上部に配置されて下方に向けて過熱蒸気を吹き付ける上部の蒸気ガイド管と、
その先端が前記調理室の下部に配置されて上方に向けて過熱蒸気を吹き付ける下部の蒸気ガイド管と、
その先端が前記調理室の壁面に配置されて側方に向けて過熱蒸気を吹き付ける中間の蒸気ガイド管と、
を含むことを特徴とする請求項１に記載の蒸気調理装置。
【請求項４】
前記調理室には、食べ物を載せる多数の調理棚が上下に配置され、前記中間の蒸気ガイド管は、前記多数の調理棚間の空間に各々過熱蒸気を供給できるように上下に多数設けられることを特徴とする請求項３に記載の蒸気調理装置。
【請求項５】
前記蒸気発生装置は、
前記蒸気ガイド管を介して前記調理室と連通され、内部に水が入れられる蒸気発生容器と、
前記蒸気発生容器の内部に水に浸された状態で取り付けられて蒸気を発生させる蒸気発生用ヒータと、
前記蒸気発生用ヒータにおいて発生された蒸気を再び加熱して過熱蒸気にする過熱蒸気用ヒータと、
を含むことを特徴とする請求項１に記載の蒸気調理装置。
【請求項６】
内部に調理室が設けられた胴体と、
蒸気を発生させる蒸気発生装置と、
前記蒸気発生装置において発生された蒸気をガイドして前記調理室に供給するが、蒸気を前記調理室に分散供給できるようにその先端が前記調理室の多数の箇所に配置される多数の蒸気ガイド管と、
前記多数の蒸気ガイド管の中途に設けられ、前記多数の蒸気ガイド管を各々選択的に開閉して前記調理室における 蒸気の吹付け位置を変える多数の蒸気弁と、
を含むことを特徴とする蒸気調理装置。
【請求項７】
前記蒸気ガイド管は、
その先端が前記調理室の上部に配置されて下方に蒸気を吹き付ける上部の蒸気ガイド管と、
その先端が前記調理室の下部に配置されて上方に向けて蒸気を吹き付ける下部の蒸気ガイド管と、
その先端が前記調理室の壁面に配置されて側方に蒸気を吹き付ける中間の蒸気ガイド管と、
を含むことを特徴とする請求項６に記載の蒸気調理装置。
【請求項８】
前記調理室には、食べ物を載せる多数の調理棚が上下に配置され、前記中間の蒸気ガイド管は、前記多数の調理棚間の空間に各々蒸気を供給できるように上下に多数設けられることを特徴とする請求項７に記載の蒸気調理装置。
【請求項９】
前記蒸気発生装置は、
前記蒸気ガイド管を介して前記調理室と連通され、内部に水が入れられる蒸気発生容器と、
前記蒸気発生容器の内部に水に浸された状態で取り付けられて蒸気を発生させる蒸気発生用ヒータと、
を含むことを特徴とする請求項６に記載の蒸気調理装置。
【請求項１０】
前記蒸気発生装置において発生された蒸気をガイドして前記調理室に供給するが、蒸気を前記調理室に分散供給できるようにその先端が前記調理室の多数の箇所に配置される多数の蒸気ガイド管と、
前記多数の蒸気ガイド管の中途に前記多数の蒸気ガイド管を各々選択的に開閉して前記調理室における過熱蒸気の吹付け位置を変える多数の蒸気弁と、
を含むことを特徴とする調理室を有する蒸気調理装置。 
【請求項１１】
前記蒸気ガイド管は、
その先端が前記調理室の上部に配置されて下方に向けて過熱蒸気を吹き付ける上部の蒸気ガイド管と、
その先端が前記調理室の下部に配置されて上方に向けて過熱蒸気を吹き付ける下部の蒸気ガイド管と、
その先端が前記調理室の壁面に配置されて側方に向けて過熱蒸気を吹き付ける中間の蒸気ガイド管と、
を含むことを特徴とする請求項１０に記載の調理室を有する蒸気調理装置。
【請求項１２】
前記調理室には、食べ物を載せる多数の調理棚が上下に配置され、前記中間の蒸気ガイド管は、前記多数の調理棚間の空間に各々過熱蒸気を供給できるように上下に多数本がさらに設けられることを特徴とする請求項１１に記載の調理室を有する蒸気調理装置。
【請求項１３】
前記多数の中間の蒸気ガイド管は、その先端が前記多数の調理棚間の空間に各々所定間隔離れて配置されることを特徴とする請求項１２に記載の調理室を有する蒸気調理装置。
【請求項１４】
前記蒸気発生装置は、
前記蒸気ガイド管を介して前記調理室と連通され、内部に水が入れられる蒸気発生容器と、
前記蒸気発生容器の内部に取り付けられて蒸気を発生させる蒸気発生用ヒータと、
を含むことを特徴とする請求項１０に記載の調理室を有する蒸気調理装置。
【請求項１５】
多数の蒸気ガイド管を開いて前記蒸気ガイド管から前記調理室に過熱蒸気を吹き付けて調理室の内部温度を高めた後、調理室内の温度を判別する段階と、
前記調理室の温度が予め設定されている所定の温度以上であれば、上部の蒸気ガイド管と中間の蒸気ガイド管は各々閉じ、下部の蒸気ガイド管を介してのみ前記調理室に選択的に過熱蒸気を吹き付ける段階と、
前記調理室の温度が予め設定されている所定の温度より低ければ、前記上部の蒸気ガイド管及び前記下部の蒸気ガイド管を選択的に開閉し、前記上部の蒸気ガイド管を介してのみ前記調理室に前記過熱蒸気を吹き付けることを特徴とする調理室を有する蒸気調理装置。 
【発明の詳細な説明】
【技術分野】
【０００１】
本発明は蒸気調理装置に係り、より詳細には、調理物の特定の方向を選択的に加熱することのできる蒸気調理装置に関する。
【背景技術】
【０００２】
通常、蒸気調理装置は、蒸気を発生させてその蒸気を調理物に当て、蒸気の熱を用いて調理物を調理する装置である。
【０００３】
従来の蒸気調理装置には、内部に調理室が設けられた胴体と、調理室に蒸気を供給するための蒸気発生装置と、蒸気発生装置において発生された蒸気を調理室の下部にガイドし、蒸気を調理室の下部から吹き付ける蒸気ガイド管と、が設けられている。
【０００４】
このため、蒸気発生装置において発生された蒸気が蒸気ガイド管を介して調理装置の下部から調理棚に向かって供給されて調理室の内部に満たされれば、調理室に満たされる蒸気の熱により調理物が加熱されて調理がなされる。
【０００５】
ところが、この種の蒸気調理装置は、調理物が全体的に均一に調理される長所はあるものの、調理物の特定の方向を選択的に調理できず、様々な食べ物を効率よく調理できないという問題点がある。
【０００６】
また、調理室内に調理棚が多段に取り付けられる場合、下部から吹き付けられた蒸気の熱が下側に取り付けられた調理棚に主として加えられるため、上側に配置された調理棚に載せられた調理物と、下側に配置された調理棚に載せられた調理物が均一に調理できなくなるという問題点がある。
【発明の開示】
【発明が解決しようとする課題】
【０００７】
本発明は、上記事情に鑑みてなされたものであり、その目的は、必要に応じて調理物の特定の方向を選択的に加熱することのできる蒸気調理装置を提供するところにある。
【０００８】
また、本発明の他の目的は、上下に多段に配置された調理棚に載せられた調理物が均一に加熱できる蒸気調理装置を提供するところにある。
【課題を解決するための手段】
【０００９】
これらの目的を達成するために、本発明に係る蒸気調理装置は、内部に調理室が設けられた胴体と、過熱蒸気を発生させる蒸気発生装置と、前記蒸気発生装置において発生された過熱蒸気をガイドして前記調理室に供給するが、過熱蒸気を前記調理室に分散供給できるようにその先端が前記調理室の多数の箇所に配置される多数の蒸気ガイド管と、を含むことを特徴とする。
【００１０】
また、前記多数の蒸気ガイド管の中途には、前記多数の蒸気ガイド管を各々選択的に開閉して前記調理室における過熱蒸気の吹付け位置を変える多数の蒸気弁を含むことを特徴とする。
【００１１】
さらに、前記蒸気ガイド管は、その先端が前記調理室の上部に配置されて下方に向けて過熱蒸気を吹き付ける上部の蒸気ガイド管と、その先端が前記調理室の下部に配置されて上方に向けて過熱蒸気を吹き付ける下部の蒸気ガイド管と、その先端が前記調理室の壁面に配置されて側方に向けて過熱蒸気を吹き付ける中間の蒸気ガイド管と、を含むことを特徴とする。
【００１２】
さらに、前記調理室には、食べ物を載せる多数の調理棚が上下に配置され、前記中間の蒸気ガイド管は、前記多数の調理棚間の空間に各々過熱蒸気を供給できるように上下に多数設けられることを特徴とする。
【００１３】
さらに、前記蒸気発生装置は、前記蒸気ガイド管を介して前記調理室と連通され、内部に水が入れられる蒸気発生容器と、前記蒸気発生容器内部に水に浸された状態で取り付けられて蒸気を発生させる蒸気発生用ヒータと、前記蒸気発生用ヒータにおいて発生された蒸気を再び加熱して過熱蒸気にする過熱蒸気用ヒータと、を含むことを特徴とする。
【００１４】
さらに、本発明に係る蒸気調理装置は、内部に調理室が設けられた胴体と、蒸気を発生させる蒸気発生装置と、前記蒸気発生装置において発生された蒸気をガイドして前記調理室に供給するが、蒸気を前記調理室に分散供給できるようにその先端が前記調理室の多数の箇所に配置される多数の蒸気ガイド管と、前記多数の蒸気ガイド管の中途に設けられ、前記多数の蒸気ガイド管を各々選択的に開閉して前記調理室における蒸気の吹付け位置を変える多数の蒸気弁と、を含むことを特徴とする。
【００１５】
さらに、前記蒸気ガイド管は、その先端が前記調理室の上部に配置されて下方に向けて蒸気を吹き付ける上部の蒸気ガイド管と、その先端が前記調理室の下部に配置されて上方に向けて蒸気を吹き付ける下部の蒸気ガイド管と、その先端が前記調理室の壁面に配置されて側方に向けて蒸気を吹き付ける中間の蒸気ガイド管と、を含むことを特徴とする。
【００１６】
さらに、前記調理室には、食べ物を載せる多数の調理棚が上下に配置され、前記中間の蒸気ガイド管は、前記多数の調理棚間の空間に各々蒸気を供給できるように上下に多数設けられることを特徴とする。
【００１７】
さらに、前記蒸気発生装置は、前記蒸気ガイド管を介して前記調理室と連通され、内部に水が入れられる蒸気発生容器と、前記蒸気発生容器の内部に水に浸された状態で取り付けられて蒸気を発生させる蒸気発生用ヒータと、を含むことを特徴とする。
【発明の効果】
【００１８】
本発明に係る蒸気調理装置は、蒸気の吹付け方向を変えて調理物の特定の方向を選択的に加熱できることから、様々な調理物を効率よく調理できるという作用効果がある。
【００１９】
また、本発明に係る蒸気調理装置は、調理室内に調理棚が多段に配置されても、蒸気が上下に加えて、左右からも吹き付けられることから、調理物の位置とは無関係に調理物が均一に調理されるという作用効果もある。
【発明を実施するための最良の形態】
【００２０】
以下、本発明の好適な一実施の形態を図面を参照しながら詳細に説明する。
本発明に係る蒸気調理装置は、図１及び図２に示すように、外観をなして内部に食べ物が調理される調理室１２ａが形成された胴体１０と、過熱蒸気を発生させて前記調理室１２ａに供給する蒸気発生装置２０と、を備える。
【００２１】
胴体１０は、概観をなす外部ケース１１と、外部ケース１１内に外部ケース１１と離れて取り付けられて調理室１２ａを形成する内部ケース１２と、からなり、胴体１０の前面上部には、蒸気調理装置の動作状態を表示する表示部１３ａと、各種の操作ボタン１３ｂ及び操作スイッチ１３ｃを備えた操作部１３と、が設けられる。
【００２２】
外部ケース１１及び内部ケース１２は、調理室１２ａに調理物を挿入及び引出し自在に前方側に開放されており、調理室１２ａの前方側には、調理室１２ａの開放部を開閉できるようにその下端が胴体１０の下部にヒンジ結合されて上下に開閉されるドア１４が設けられる。
【００２３】
調理室１２ａの内部には、調理物を載せるための調理棚１５が設けられ、調理室１２ａ両側には、調理棚１５の両端を支えるためのガイドレール１２ｂが設けられ、調理棚１５がガイドレール１２ｂに沿って進退しつつ調理室１２ａから引き出されたり、調理室１２ａに収納できるようになっている。このとき、調理棚１５及びガイドレール１２ｂは上下に各々多数設けられて多段に調理物を載せ、多量の調理物を効率よく調理できるようになっている。この実施の形態においては調理棚１５が調理室１２ａの上部及び下部に２段に配置できるように両側に各々一対の ガイドレール１２ｂが形成されている。  また、調理室１２ａ内には、調理室１２ａの内部温度を測定するための温度センサー（図示せず）が設けられている。
【００２４】
一方、蒸気発生装置２０は、図２に示すように、内部に所定量の水が入れられる蒸気発生容器２１を備え、蒸気発生容器２１の内には、その下部に取り付けられて水を蒸発させる蒸気発生用ヒータ２２と、その上部に取り付けられて蒸気発生用ヒータ２２により発生された蒸気に熱を加える過熱蒸気用ヒータ２３と、が収容される。このため、蒸気発生容器２１に入れられた水は蒸気発生用ヒータ２２により加熱されて蒸気となって上部に移動し、次いで蒸気発生容器２１の上部に設けられた過熱蒸気用ヒータ２３により再加熱されて過熱蒸気となるのである。
【００２５】
また、このように、本発明に係る蒸気調理装置には、蒸気発生装置２０において発生された過熱蒸気を調理室１２ａにガイドするための多数の蒸気ガイド管３０Ｕ，３０Ｌ，３０Ｓが設けられる。
【００２６】
蒸気ガイド管３０Ｕ，３０Ｌ，３０Ｓは、その一端は蒸気発生装置２０に連結され、多端は調理室１２ａと連結されて過熱蒸気を蒸気発生装置２０から調理室１２ａに向かってガイドできるものであって、様々な方向に過熱蒸気を吹き付けして調理物の特定の方向に選択的に熱をが可能に多数設けられ、多数の蒸気ガイド管３０Ｕ，３０Ｌ，３０Ｓの調理室１２ａ側の先端が調理室１２ａの多数の箇所に各々配置される。
【００２７】
この実施の形態においては、４本の蒸気ガイド管３０Ｕ，３０Ｌ，３０Ｓが設けられ、４本の蒸気ガイド管３０Ｕ，３０Ｌ，３０Ｓの調理室１２ａ側の先端が調理室１２ａの上下左右面に各々一つずつ配置されて過熱蒸気を上下左右側から吹き付け可能となっている。
【００２８】
この実施の形態においては、これらの蒸気ガイド管３０Ｕ，３０Ｌ，３０Ｓに調理室１２ａの上部に配置され、下方に向けて過熱蒸気を吹き付ける上部の蒸気ガイド管３０Ｕと、調理室１２ａの下部に配置され、上方に向けて過熱蒸気を吹き付ける下部の蒸気ガイド管３０Ｌと、左右の両側壁に配置され、側方に向けて過熱蒸気を吹き付ける中間の蒸気ガイド管３０Ｓと、が設けられている。
【００２９】
また、これらの蒸気ガイド管３０Ｕ，３０Ｌ，３０Ｓの中途には、各蒸気ガイド管３０Ｕ，３０Ｌ，３０Ｓを開閉するために蒸気弁３１Ｕ，３１Ｌ，３１Ｓが各々備えられるが、これらの蒸気弁３１Ｕ，３１Ｌ，３１Ｓにより上下左右に配置されている蒸気ガイド管３０Ｕ，３０Ｌ，３０Ｓを選択的に開閉させて特定の位置に向かってのみ過熱蒸気を吹き付けることにより、 調理物を特定の方向から加熱可能にしたものである。
【００３０】
すなわち、蒸気弁３１Ｕ，３１Ｌ，３１Ｓにより上部の蒸気ガイド管３０Ｕのみが開放される場合には、高温の過熱蒸気が調理物に直接的に接触することから、調理物が僅かに焼き付けられる効果が得られ、下部の蒸気ガイド管のみ３０Ｌが開放される場合には、過熱蒸気の熱が調理棚１５を介して伝わり、これと共に過熱蒸気が調理棚１５にぶつかって調理室１２ａの内部に分散されることから、調理室１２ａの温度が全体として上がり、調理物がその下側を中心に全体的に均一に調理されるという効果も得られる。
【００３１】
この実施の形態において、調理室１２ａには、調理棚１５が上部と下部の２段に配置され、その間の空間に過熱蒸気を吹付け自在に両側に各々一つずつの中間の蒸気ガイド管３０Ｓの先端が配置されているとしたが、必ずしもこれに限定されることはなく、図３に示すように、 調理室１２ａ内に３つ以上の調理棚１５を配置し、各調理棚１５間の空間に過熱蒸気を吹付け自在に両側面に各々多数の中間の蒸気ガイド管３０Ｓの先端を配置することが可能になる。
【００３２】
さらに、この実施の形態においては、例として 過熱蒸気を用いて調理物を加熱する蒸気調理装置が開示されているが、必ずしもこれに限定されることはなく、蒸気、つまり、湿っぽい蒸気を用いて調理物を加熱する蒸気調理装置にも適用可能である。
【００３３】
以下では、このように構成された本発明に係る蒸気調理装置の動作及び作用効果について述べる。
本発明に係る蒸気調理装置を用いて鶏の丸焼き調理を行う場合を例にとって説明すれば、まず、調理室１２ａ内の温度が全体として高くなければ、鶏が全体的に均一に加熱できないため、全ての蒸気弁３１Ｕ，３１Ｌ，３１Ｓは開かれ、これに伴い、上下左右に配置された蒸気ガイド管３０Ｕ，３０Ｌ，３０Ｓからいずれも過熱蒸気が吹き付けられて調理室１２ａの内部温度が上がる。
【００３４】
調理室１２ａ内の温度が一定の温度以上であることが温度センサーにより感知されれば、上部の蒸気弁３１Ｕと中間の蒸気弁３１Ｓにより上部の蒸気ガイド管３０Ｕと中間の蒸気ガイド管３０Ｓは各々閉じられ、下部の蒸気ガイド管３０Ｌを介してのみ過熱蒸気が吹き付けられる。
【００３５】
下部の蒸気ガイド管３０Ｌを介して供給された過熱蒸気は調理棚１５の下面にぶつかってから調理室の内に広がるため、調理棚１５を加熱すると共に、調理室１２ａの内部温度を高める。これにより、鶏の丸焼きはその下面側を中心に全体的に加熱される。
【００３６】
このように、全体的に加熱する過程が終われば、鶏の丸焼きの場合、その肌がばさっと調理されることが好ましいため、中間の蒸気ガイド管３０Ｓ及び下部の蒸気ガイド管３０Ｌは閉じられ、上部の蒸気ガイド管３０Ｕのみが開かれて上部の蒸気ガイド管３０Ｕを介して供給される高温の過熱蒸気が直接的に鶏にあたり、これに伴い、鶏の肌部分は軽く焼かれて調理が終わる。
【００３７】
また、調理室１２ａ内に２段に調理棚１５及び調理物が配置される場合、上部の蒸気ガイド管３０Ｕ及び下部の蒸気ガイド管３０Ｌから吹き付けられた過熱蒸気が調理棚１５の間に十分に供給できないとしても、調理棚１５間に設けられた中間の蒸気ガイド管３０Ｓを介して調理棚１５間の空間に過熱蒸気が供給されるため、調理室１２ａの内部が全体的に均一に加熱される。
【図面の簡単な説明】
【００３８】
【図１】本発明に係る蒸気調理装置の斜視図である。
【図２】本発明に係る蒸気調理装置の断面図である。
【図３】本発明の他の実施の形態による蒸気調理装置の断面図である。
【符号の説明】
【００３９】
１０  胴体
１２ａ  調理室
１５  調理棚
２０  蒸気発生装置
２１  蒸気発生容器
２２  蒸気発生用ヒータ
２３  過熱蒸気用ヒータ
３０Ｕ，３０Ｌ，３０Ｓ  蒸気ガイド管
３１Ｕ，３１Ｌ，３１Ｓ  蒸気弁
【図１】
2005083739.tif 000003
【図２】
2005083739.tif 000004
【図３】
2005083739.tif 000005